(57)【要約】【課題】有料契約で番組が配信されるデジタル放送であって、局側から契約情報が送信される番組の配信システムにおいて、伝送できる容量に対して、契約情報が占める割合を削減して、番組配信の帯域を有効利用する。【解決手段】番組配信システムは、契約情報送出装置と、契約情報蓄積装置と、受信装置とを備える。契約情報送出装置は、受信装置が契約情報蓄積装置にアクセスするための契約取得情報を、受信装置に送信する。また、一方で、契約情報送出装置は、契約情報蓄積装置に契約情報を送信する。受信装置は、契約取得情報に基づき、契約情報蓄積装置にアクセスして、契約情報の取得要求を出し、契約情報蓄積装置は、契約情報送出装置から受信した契約情報を蓄積し、受信装置からの要求に応じて、受信装置に契約情報を送信する。【選択図】図１
2007158909.tif 000002
【特許請求の範囲】
【請求項１】
受信側で番組の契約情報を受信することにより、番組を視聴可能とする番組配信システムにおいて、
契約情報送出装置と、
契約情報蓄積装置と、
受信装置とを備え、
前記契約情報送出装置は、前記契約情報蓄積装置に契約情報を送信し、
前記契約情報蓄積装置は、前記契約情報送出装置から受信した契約情報を蓄積し、前記受信装置からの要求に応じて、前記受信装置に契約情報を送信することを特徴とする番組配信システム。
【請求項２】
前記契約情報送出装置は、受信装置が契約情報蓄積装置にアクセスするための契約取得情報を、前記受信装置に送信することを特徴とする請求項１記載の番組配信システム。
【請求項３】
受信側で番組の契約情報を受信することにより、番組を視聴可能とする番組配信の受信装置において、
契約取得情報を受信し、その契約取得情報に基づき、契約情報が蓄積された契約情報蓄積装置にアクセスして契約情報を受信することを特徴とする受信装置。
【請求項４】
前記契約取得情報は、前記契約取得情報を受信したタイミングで、前記契約情報蓄積装置に契約情報の取得要求をおこなうことを特徴とする請求項３記載の受信装置。
【請求項５】
前記受信装置は、契約情報を取得してから一定期間後に、前記契約情報蓄積装置に契約情報の取得要求をおこなうことを特徴とする請求項３記載の受信装置。
【請求項６】
電源がＯＮされたタイミング、または、番組のスクランブルを解除することを可能にするセキュリティモジュールを挿入されたタイミングで、前記契約情報蓄積装置に契約情報の取得要求をおこなうことを特徴とする請求項３記載の受信装置。
【請求項７】
受信側で番組の契約情報を受信することにより、番組を視聴可能とする番組配信方法において、
契約情報送出装置から契約情報蓄積装置に契約情報を送信するステップ、
前記契約情報蓄積装置が、前記契約情報送出装置から契約情報を受信し、その契約情報を蓄積するステップ、
受信装置が前記契約情報蓄積装置に対して、契約情報の取得要求を送信するステップ、
前記契約情報蓄積装置は、前記受信装置からの契約情報の取得要求に応じて、前記受信装置に契約情報を送信するステップを有することを特徴とする番組配信方法。
【発明の詳細な説明】
【技術分野】
【０００１】
本発明は、番組配信システム、および、番組配信方法に係り、特に、ＢＳ放送、ＣＳ放送、ケーブルテレビなど、デジタル放送の有料番組で、視聴者が局と契約によって番組の配信を受ける放送あるいはサービスの形態に用いて好適な番組配信システム、および、番組配信方法に関する。
【背景技術】
【０００２】
衛星デジタル通信、衛星デジタル放送、デジタルケーブルＴＶなどの有料サービスにおいて、加入者が申し込んだ契約のみ視聴を許可する方法として、一般的に、電波産業会（ＡＲＩＢ）の標準規格「ＢＳデジタル放送におけるアクセス制御方式（ＡＲＩＢ  ＳＴＤ−Ｂ２５）」（以下の非特許文献１参照）に示されるようなアクセス制御方式が用いられている。
【０００３】
以下、図６を用いて従来技術に係るＢＳデジタル放送におけるアクセス制御方式について概要を説明する。
図６は、従来技術に係るＢＳデジタル放送におけるアクセス制御方式の概要を示す構成図である。
【０００４】
このアクセス制御方式では、スクランブルされた映像、音声、データと、番組情報（ＥＣＭ：Entitlement Control Message）と、個別情報（ＥＭＭ： Entitlement Management Message）が、各事業者の送出装置１０１，１０２から伝送され、受信装置１０３に伝送される。
【０００５】
ここで、スクランブル鍵（Ｋｓ）は、映像、音声、データなどの伝送情報をスクランブルするための暗号鍵である。
【０００６】
ＥＣＭは、スクランブル鍵（Ｋｓ）と番組属性情報からなる番組情報を、事業者毎に異なるワーク鍵（Ｋｗ）で暗号化したものである。
【０００７】
また、ＥＭＭは、ワーク鍵（Ｋｗ）と加入者の契約情報等からなる個別情報を、マスタ鍵（Ｋｍ）により暗号化したものである。
【０００８】
そして、受信装置１０３で受信したこれらの情報は、受信装置１０３に挿入されているセキュリティモジュール１０４に転送される。
【０００９】
セキュリティモジュール１０４では、予め格納されているマスタ鍵（Ｋｍ）によりＥＭＭの復号化がおこなわれ、ワーク鍵（Ｋｗ）および契約情報等の個別構報が格納される。また、ワーク鍵（Ｋｗ）を用いてＥＣＭの復号化がおこなわれ、番組属性情報およびスクランブル鍵（Ｋｓ）が取り出され、契約情報と番組属性情報とにより視聴条件を判定されて、視聴条件に合致していた場合、スクランブルを解除するデスクランブル機能を有する受信装置１０３にスクランブル鍵（Ｋｓ）を受け渡すことにより、デスクランブルされた映像、音声、データなどの伝送情報を利用することができる。
【００１０】
図６に示されるように、従来技術に係る番組配信システムにおいては、有料サービスを提供する事業者の送出装置１０１，１０２は、映像、音声、データと共に、当該事業者の個別情報（ＥＭＭ）として契約情報１０５を、直接、受信装置１０３に送出する。
【００１１】
送出装置１０１，１０２において、契約情報を送出するための容量は限られており、かつ、複数の受信装置に対して、個々の契約情報を送信する必要があるため、通常、ある送出間隔で、契約情報を繰り返し送出している。
【００１２】
受信装置１０３は、受信装置の電源ＯＮの状態、かつ、事業者が提供するサービスまたはサービスが属するネットワークを選局している間のみ、当該事業者の契約情報を受信できる状態にあるが、送出装置１０１，１０２からの契約情報は、ある周期で繰り返し送信されているので、確実に契約情報を受信するには、送出周期の間、当該サービスまたは当該サービスが属するネットワークを受信しておく必要がある。
【００１３】
ここで、個別情報（ＥＭＭ）１０５は、一般的に、図６に示されるように、セキュリティーモジュールを特定するためのＩＤ、個別情報（ＥＭＭ）の送信元を示す事業者識別および事業者識別に対応するワーク鍵（Ｋｗ）、ティア（チャンネル毎の視聴条件）からなる。この個別情報（ＥＭＭ）は、上述のように、新規契約や契約更新や解約のつど、送出装置により作成され、各加入者宛に、ある一定期間中または定常的に繰り返し伝送されている。
【００１４】
【非特許文献１】電波産業会（ＡＲＩＢ）の標準規格「ＢＳデジタル放送におけるアクセス制御方式（ＡＲＩＢ  ＳＴＤ−Ｂ２５）」（第３章）
【発明の開示】
【発明が解決しようとする課題】
【００１５】
上記従来技術では、受信装置を介してＩＣカードなどのセキュリティモジュールに契約情報を届けるには、受信装置が電源ＯＮの状態で、かつ、事業者が提供するサービスまたはサービスが属するネットワークを選局している必要があるために、ある一定期間中、あるいは定常的に契約情報をＥＭＭ にて繰り返し伝送する必要があった。
【００１６】
その結果、有料サービスにて伝送できる容量に対して、ＥＭＭが占める割合が増え、有料サービスにて提供する映像、音声、データなどへの割り当て容量が少なくなる。
【００１７】
また、限られた容量で、各サービス加入者宛にＥＭＭを繰り返し送出するためには、ユーザ数の増加に伴い、繰り返し伝送する周期が長くなることにより、ＥＭＭを受信しにくい状態となり、結果、サービス加入者からの契約申請に応じた適切なサービスの提供の妨げとなる。
【００１８】
また、有料サービスを提供する事業者が全て同一のネットワークに属しているとは限らないため、サービス加入者の番組選局時問により、一部の事業者のＥＭＭを受信しにくい状態となり、結果、ユーザからの契約申請に応じた適切なサービスの提供の妨げとなる。
【００１９】
本発明の目的は、局側から契約情報が送信される番組の配信システムにおいて、伝送できる容量に対して、契約情報が占める割合を削減して、番組配信の帯域を有効利用できるシステムを提供することにある。
【００２０】
また、本発明の他の目的は、サービス加入者の番組選局時間に依存せずに、サービス加入者が契約情報を受信する機会を与えることができるシステムを提供することにある。
【課題を解決するための手段】
【００２１】
本発明は、送出装置が受信装置に対して送信する最新の契約情報を、受信装置に直接送出するのではなく、契約情報蓄積装置に複数の事業者分蓄積する。また、送出装置は、契約情報取得先(電話番号、ＩＰアドレスなど)を含む契約取得情報を、ＥＭＭにより受信装置に送出する。ここで、契約情報取得先は、事業者の局、あるいは、特別なセンターに置かれる契約情報蓄積装置である。
【００２２】
契約取得情報を受信した受信装置は、契約取得情報として送られてきた契約情報取得先を基に、契約情報蓄積装置から複数事業者分の契約情報を取得する。
【００２３】
契約情報蓄積装置は、契約情報が取得された日時を記憶し、送出装置からの問合せにより、契約情報の取得有無、所得日時を送出装置に受け渡す。
【００２４】
送出装置は、契約情報の取得状況により、契約情報取得先が受信したことを確認できた場合、契約取得情報の送出を停止する。
【発明の効果】
【００２５】
本発明によれば、局側から契約情報が送信される番組の配信システムにおいて、伝送できる容量に対して、契約情報が占める割合を削減して、番組配信の帯域を有効利用できるシステムを提供することができる。
【００２６】
また、本発明によれば、サービス加入者の番組選局時間に依存せずに、サービス加入者が契約情報を受信する機会を与えることができる。
【発明を実施するための最良の形態】
【００２７】
以下、本発明に係る一実施形態を、図１ないし図５を用いて説明する。
先ず、図１を用いて本発明の一実施形態に係る番組配信システムの構成を説明する。
図１は、本発明の一実施形態に係る番組配信システムを示す構成図である。
【００２８】
図１に示されるように、各事業者の送出装置２０１，２０２では、有料サービス加入者からの契約申し込みに応じて、契約情報を契約情報蓄積装置２０３に送信する。
【００２９】
契約情報蓄積装置２０３では、カードＩＤ毎に複数事業者分の契約情報および契約情報登録日時、契約情報が取得された日時を管理する。
【００３０】
各事業者の送出装置２０１，２０２では、スクランブルされた映像、音声、データと、番組情報とを、受信装置に送信する。また、各事業者の送出装置２０１，２０２は、契約取得情報２０６を受信装置２０４に送信する。ここで、契約情報の取得先とは、契約情報蓄積装置２０３であり、受信装置２０４から契約情報所得先にアクセスするための情報として、電話回線で接続されているときには、電話番号、ネットワーク回線で接続されているときには、ＩＰアドレスなどが考えられる。
【００３１】
受信装置２０４は、セキュリティモジュール２０５が挿入されており、この契約情報の取得先に関する情報に基づき、セキュリティモジュールＩＤにより特定される契約情報の取得要求をおこなう。
【００３２】
受信装置２０４では、契約取得情報２０６に含まれる契約情報取得先（電話番号、ＩＰアドレス）に基づき、電話回線やＩＰネットワークの通信回線を介して、契約情報蓄積装置にアクセスする。
【００３３】
また、契約情報蓄積装置２０３では、管理部され、登録されている契約情報から、契約情報の取得要求があった受信装置２０４に挿入されているセキュリティモジュールＩＤに対応する契約情報１０５を抽出し、そのセキュリティモジュールＩＤに対して、複数の事業者分の契約情報１０５を、受信装置を介して、受信装置に挿入されているセキュリティモジュールに送信する。
【００３４】
セキュリティモジュール２０５では、セキュリティモジュールに、予め格納されたマスタ鍵（Ｋｍ）を用いて契約情報を復号化する。ここで、契約情報は、図６に示されるように、番組情報を復号化するために必要なワーク鍵（Ｋｗ）およびティアと呼ばれる視聴条件（視聴者のチャンネル毎の契約情報）を含む情報である。
【００３５】
受信装置２０４では、従来技術の手法に従い、復号化されたワーク鍵（Ｋｗ）により受け取ったＥＣＭを復号し、番組情報とスクランブル鍵（Ｋｓ）を取り出す。そして、スクランブル鍵（Ｋｓ）により、デスクランブルした映像、音声、データを出力することにより、加入者の契約に応じたサービスを提供する。
【００３６】
次に、図２ないし図４を用いて本発明に係る番組配信システムの各部の詳細な構成と動作について説明する。
図２は、本発明の一実施形態に係る送出装置のブロック図である。
図３は、本発明の一実施形態に係る受信装置のブロック図である。
図４は、本発明の一実施形態に係る契約情報蓄積装置のブロック図である。
【００３７】
送出装置２０１，２０２は、通常、事業者の局側に置かれる装置であり、番組を配信する役割りと、視聴者の契約情報を契約情報蓄積装置２０３に送信する役割りと、視聴者の受信装置に契約取得情報（契約情報蓄積装置２０３にアクセスするための情報）を送信する役割りとを担っている。なお、本実施形態では、送出装置は、番組を配信する送信する機能と、契約情報と契約取得情報を送信する機能とを同一の装置で実現するイメージで記述したが、別々の装置として実装されてもよい。
【００３８】
送出装置２０１，２０２は、図２に示されるように、番組管理部３０１と、スクランブル部３０２と、番組情報管理部３０３と、番組情報暗号部３０４と、契約情報管理部３０５と、Ｋｍ管理部３０７と、契約取得情報暗号部３０６と、契約情報暗号部３０８と、多重化部３０９と、通信部３１０から成る。
【００３９】
番組管理部３０１は、番組の映像、音声、データを生成し出力する部分である。
【００４０】
スクランブル部３０２は、スクランブル鍵（Ｋｓ）により映像、音声、データのスクランブルをおこなう部分である。
【００４１】
番組情報管理部３０３は、スクランブル鍵（Ｋｓ）の生成、および番組を視聴するための視聴条件、スクランブル鍵（Ｋｓ）を含む番組情報を生成し出力する部分である。
【００４２】
番組情報暗号部３０４は、各事業者に対応したワーク鍵（Ｋｗ）にて番組情報を暗号化する部分である。
【００４３】
契約情報管理部３０５は、事業者が提供するサーピスの加入者の契約情報、および加入者の受信装置あるいはＩＣカードなどのセキュリティモジュールを特定するための識別番号（以下、「カードＩＤ」）、および契約情報取得先を管理し、契約情報および契約情報取得先を出力する部分である。
【００４４】
Ｋｍ管理部３０７は、カードＩＤに対応するマスタ鍵（Ｋｍ）を管理し出力する部分である。
【００４５】
契約取得情報暗号部３０６は、Ｋｍにより契約取得情報を暗号化し出力する部分である。
【００４６】
契約情報暗号部３０８は、Ｋｍにより契約情報を暗号化し出力する部分である。
【００４７】
多重化部３０９は、スクランブルされた映像、音声、データ、および、暗号化された番組情報および契約取得情報を多重化して送信する部分である。
【００４８】
通信部３１０は、通信回線を介して、契約情報を契約情報蓄積装置２０３へ送信する部分である。
【００４９】
各事業者の送出装置２０１，２０２では、有料サービス加入者からの契約申し込みに応じて、契約情報管理部３０５により、当該事業者の契約情報を生成し、契約情報暗号部３０８にて暗号化され、通信部３１０および通信回線を介して、暗号化された契約情報を契約情報蓄積装置２０３に送信する。
【００５０】
また、各事業者の送出装置２０１，２０２では、契約情報管理部３０７により、契約情報取得先などを含んだ契約取得情報２０６を生成・出力し、各カードＩＤに対応したマスタ鍵（Ｋｍ）を用いて契約取得情報暗号部３０６により暗号化した契約取得情報２０６と、スクランブル部３０２によりスクランブルされた映像、音声、データと、番組情報暗号部３０４にて暗号化された番組情報とを、多重化部３０９により多重化して出力する。
【００５１】
受信装置２０４は、局からの番組を受信しスクランブルを解除して表示装置に出力する装置である。
【００５２】
なお、図３に示される４１０の範囲に示すブロックの機能は、ＩＣカードなどのセキュリティモジュール側にておこなわれ、４１１の範囲に示すブロックの機能は受信装置の本体側にておこなわれる機能である。また、マスタ鍵（Ｋｍ）４０７は、ＩＣカードなどのセキュリティモジュールに予め格納されている。
【００５３】
セキュリティモジュール２０５を装着した受信装置２０４は、図３に示されるように、分離部４０１と、デスクランブル部４０２と、通信部４０９と、番組情報復号部４０３と、視聴判定部４０４と、契約情報蓄積部４０５と、契約情報復号部４０６と、契約取得情報復号部４０８とから成る。
【００５４】
分離部４０１は、スクランブルされた映像、音声、データと、番組情報、契約取得情報２０６を分離する部分である。
【００５５】
デスクランブル部４０２は、スクランブル鍵（Ｋｓ）から映像、音声、データのデスクランブルをおこなう部分である。
【００５６】
通信部４０９は、通信回線を介して契約情報取得先（契約情報蓄積装置２０３）にアクセスし、セキュリティモジュールＩＤに対応した複数事業者分の契約情報を契約情報蓄積装置２０３から受信する部分である。
【００５７】
番組情報復号部４０３は、Ｋｗから番維情報を復号化する部分である。
【００５８】
視聴判定部４０４は、番組情報および契約情報から視聴判定をおこない、視聴条件に合致していた場合、スクランブル鍵（Ｋｓ）を出力する部分である。
【００５９】
契約情報蓄積部４０５は、複数事業者分の契約情報を蓄積し、各事業者に対応したＫｗおよび契約情報を受け渡す部分である。
【００６０】
契約情報復号部４０６は、Ｋｍ４０４から契約情報を復号化する部分である。
【００６１】
契約取得情報復号部４０８は、ＩＣカードなどのセキュリティモジュールにあらかじめ格納されたＫｍ４０７から、契約取得情報２０６を復号化し、契約情報取得先を出力する部分である。
【００６２】
契約情報蓄積装置２０３は、送出装置２０１，２０２から契約情報を受信し、蓄積しておき、受信装置２０４からの要求に応じて契約情報蓄積装置２０３に蓄積された契約情報を送信する役割りを有する。契約情報蓄積装置２０３は、事業者の局、あるいは、番組配信事業者の特別なセンターに置かれる装置である。
【００６３】
契約情報蓄積装置２０３は、図４に示されるように、通信部５０１と、通信部５０２と、制御部５０３と、管理部５０４から成る。
【００６４】
通信部５０１は、通信回線を介して受信装置２０４との通信をおこなう部分である。
【００６５】
通信部５０２は、通信回線を介して送出装置２０１，２０２との通信をおこなう部分である。
【００６６】
制御部５０３は、送出装置および受信装置の通信を制御する部分である。
【００６７】
管理部５０４は、セキュリティモジュールＩＤ毎（契約者毎）に、送出装置から送られてきた契約情報を複数の事業者分蓄積し、契約情報登録日時、契約情報の送出日時を管理する部分である。
【００６８】
契約情報蓄積装置２０３では、セキュリティモジュールＩＤ毎（契約者毎）に複数事業者分の契約情報および契約情報登録日時、契約情報が取得された日時を管理する。
【００６９】
契約情報蓄積装置２０３では、管理部５０４にて登録されている契約情報から、取得要求があったセキュリティモジュールＩＤに対応する契約情報１０５を抽出し、取得要求があったセキュリティモジュールＩＤに対して、複数の事業者分の契約情報１０５を、制御部５０３、通信部５０１、通信回線、および受信装置２０４を介して、セキュリティモジュール２０５に送信する。
【００７０】
受信装置２０４では、分離部４０１にて分離された契約取得情報２０６を、セキュリティモジュール４１０にあらかじめ格納されたマスタ鍵（Ｋｍ）を用いて、契約情報取得先復号部により復号化し、契約取得情報２０６に含まれる契約情報取得先（契約情報蓄積装置２０３の電話番号、ＩＰアドレス）に対して、通信部４０９および電話回線やＲＦリターン回線などの通信回線を介して、アクセスする。
【００７１】
セキュリティモジュール２０５では、セキュリティモジュールに予め格納されたマスタ鍵（Ｋｍ）を用いて契約情報復号部４０６にて契約情報を復号化し、契約情報蓄積部４０５に契約情報を記録する。ここで、契約情報１０５は、図１に示したように、番組情報を復号化するために必要なワーク鍵（Ｋｗ）およびティアと呼ばれる視聴条件（視聴者のチャンネル毎の契約）を含む情報である。
【００７２】
受信装置２０４では、選局した番組に対応する番組情報を分離部４０１にて分離し、セキュリティモジュール２０５の契約情報蓄積部２０５から対応するワーク鍵（Ｋｗ）を番組情報復号部４０３に転送し、番組情報復号部４０３にて番組情報を復号化する。視聴判定部４０４では、契約情報および番組情報により、契約に合致した番組であるかどうかを判定し、合致していた場合、デスクランブル部４０２にスクランブル鍵（Ｋｓ）を受け渡す。デスクランブル部４０２では、スクランブル鍵（Ｋｓ）を用いてデスクランブルした映像、音声、データを出力することにより、加入者の契約に応じたサービスを提供する。
【００７３】
次に、図５を用いて本発明の一実施形態に係る番組配信システムの各構成部間の通信シーケンスについて説明する。
図５は、本発明の一実施形態に係る番組配信システムの各構成部間の通信シーケンス図である。
【００７４】
送出装置２０１，２０２では、契約情報蓄積装置２０３に契約情報を送信し、蓄積しておく。次に、送出装置２０１または送出装置２０２から、受信装置２０４を介して、セキュリティモジュール２０５に契約取得情報を送信する。
【００７５】
セキュリティモジュール２０５は、契約取得情報を復号化し、契約情報取得先を受信装置２０４に送信する。
【００７６】
受信装置２０４は、受信した契約情報取得先を基に、契約情報蓄積装置２０３に接続要求を出し、コネクションを確立した後、セキュリティモジュールＩＤを含んだ契約情報取得要求を契約情報蓄積装置２０３へ送信する。
【００７７】
契約情報蓄積装置２０３では、セキュリティモジュールＩＤに対応した契約情報を順次、受信装置２０４を介してセキュリティモジュール２０５に送信し、セキュリティモジュール２０５からの契約情報受信通知に基づき、管理部５０４の送出日時を更新する。
【００７８】
セキュリティモジュール２０５は、契約情報蓄積装置２０３から受信した契約情報をセキュリティモジュール内に蓄積後、契約情報蓄積装置２０３に対して、受信完了通知を送信する。
【００７９】
契約情報蓄積装置２０３では、セキュリティモジュールＩＤに対応した複数の契約情報の送出を完了すると、受信装置２０４に対して切断要求を出しコネクションを切断する。
【００８０】
本実施形態において、さらに、以下の処理を追加してもよい。
【００８１】
契約情報蓄積装置２０３では、各事業者の送出装置２０１，２０２から契約情報送出日時の取得要求があった場合、指定のあったセキュリティモジュールの契約情報送出日時を各事業者の送出装置２０１，２０２に転送する。
【００８２】
そして、各事業者の送出装置２０１，２０２では、契約情報送出日時から契約取得情報の取得の有無を判断し、すでに契約取得情報を受信ずみである受信装置に対しては、契約取得情報の送信を停止する。
【００８３】
さらに、以下の処理を追加しても良い。
【００８４】
各事業者の送出装置２０１，２０２では、図１の契約情報２０６ａに示されるように、契約情報取得のタイミングを指示する契約情報取得指示フラグを含めてもよい。この契約情報取得指示フラグがＯＮのときには、受信装置２０４が契約取得情報２０６を受信した時点で、すぐに契約情報を取得する処理がセキュリティモジュール２０５に追加されている。そうすることにより、加入者からの要請に対して、送出装置２０１，２０２からの指示により即時に最新の契約情報１０５を取得して、加入者の契約情報を更新することができる。
【００８５】
さらに、受信装置２０４において、前回の契約情報取得日時を保持しておき、ある一定期聞、契約情報を取得していない場合、あるいは、受信装置の電源ＯＮ時、あるいは、セキュリティモジュールが挿入された時に、即時に契約情報の取得をおこなう処理を追加してもよい。そうすることにより、長期間電源がＯＮとなっていなかった受信装置や、セキュリティモジュールが長期間挿入されていなかった受信装置２０４でも、最新の契約情報を複数の有料事業者分受信することができる。
【００８６】
また、これまでの実施形態では、契約情報蓄積装置２０３にアクセスするための契約取得情報を、送出装置２０１，２０２から受信装置２０４に送信したが、契約情報蓄積装置２０３の宛先となる情報を変えないときには、セキュリティモジュール内に固定で保持してもよい。
【００８７】
このようにするとシステムの柔軟性が欠けるという面もあるが、契約取得情報を送信しなくてもよくなるため、システムの構成が簡易化され、通信帯域の有効利用を図ることができる。
【００８８】
上記のように、本実施形態によれば、契約情報の情報量と比較して、契約取得情報の情報量は少なく、かつ、契約情報取得先を受信したことを確認後、受信装置に対して契約取得情報を送る必要がなくなるため、有料サービスにて伝送できる全容量に対して、契約情報を送出するための容量を削減することができ、その分、映像、音声、データ送信に割り当てる容量を増やすことができる。
【００８９】
また、受信装置は、各事業者の有料サービスの選局時間に依存せずに、複数事業者分の最新の契約情報を契約情報蓄積装置から受信することができるため、契約情報の受信漏れによる不適切なサービスを加入者に提供することを極力削減でき、加入者の契約申し込み(契約変更、解約など)に応じた適切なサービスを各事業者が提供することができる。
【図面の簡単な説明】
【００９０】
【図１】本発明の一実施形態に係る番組配信システムの構成を示す図である。
【図２】本発明の一実施形態に係る送出装置のブロック図である。
【図３】本発明の一実施形態に係る受信装置のブロック図である。
【図４】本発明の一実施形態に係る契約情報蓄積装置のブロック図である。
【図５】本発明の一実施形態に係る番組配信システムの各構成部間の通信シーケンス図である。
【図６】従来技術に係るＢＳデジタル放送におけるアクセス制御方式の概要を示す構成図である。
【符号の説明】
【００９１】
１０５…契約情報
２０１…有料サービス事業者Ａの送出装置
２０２…有料サービス事業者Ｂの送出装置
２０３…契約情報蓄積装置
２０４…受信装置
２０５…セキュリティモジュール
３０５…契約情報管理部
３０６…契約取得情報暗号部
３０８…契約情報暗号部
３１０…通信部
４０５…契約情報蓄積部
４０６…契約情報復号部
４０８…契約取得情報復号部
４０９…通信部
５０４…管理部
【図１】
2007158909.tif 000003
【図２】
2007158909.tif 000004
【図３】
2007158909.tif 000005
【図４】
2007158909.tif 000006
【図５】
2007158909.tif 000007
【図６】
2007158909.tif 000008